(57)【要約】【課題】複数のＳＩＭカードの情報をセキュリティを有し装置内に保持できること。【解決手段】携帯通信端末１００は、ＳＩＭカード１１１が保持する情報を複数のＳＩＭカード分、ＳＩＭ情報セット１２１として格納保持するＳＩＭ情報管理部１０１と、ＳＩＭカード１１１が装着可能なＳＩＭスロット１０２と、ＳＩＭ情報セット１２１の契約加入者情報１２２と一致する加入者情報１１１ａａを有するＳＩＭカード１１１がＳＩＭスロット１０２に装着されている場合、ＳＩＭ情報セット１２１の使用を有効にするＳＩＭ情報制御部１０３と、を有する。【選択図】図１
2016111409.tif 000002
【特許請求の範囲】
【請求項１】
ＳＩＭカードが保持する情報を複数のＳＩＭカード分、ＳＩＭ情報セットとして格納保持する情報管理部と、
前記ＳＩＭカードが装着可能なＳＩＭスロットと、
前記ＳＩＭ情報セットの固有情報と一致する固有情報を有する前記ＳＩＭカードが前記ＳＩＭスロットに装着されている場合、前記ＳＩＭ情報セットの使用を有効にする制御部と、
を備えたことを特徴とする端末装置。
【請求項２】
前記制御部は、
前記ＳＩＭ情報セットの追加時、前記ＳＩＭスロットに装着されている前記ＳＩＭカードの前記固有情報を、追加する前記ＳＩＭ情報セットの固有情報として前記情報管理部に格納することを特徴とする請求項１に記載の端末装置。
【請求項３】
前記制御部は、
前記ＳＩＭ情報セットの削除時、前記ＳＩＭカードの前記固有情報が削除する前記ＳＩＭ情報セットの固有情報と一致する場合に、前記情報管理部から削除することを特徴とする請求項１または２に記載の端末装置。
【請求項４】
前記制御部は、
前記ＳＩＭ情報セットの前記使用または前記追加または前記削除時、さらに前記ＳＩＭカードの契約が有効な場合に処理を行うことを特徴とする請求項３に記載の端末装置。
【請求項５】
前記制御部は、
所望する契約の無線通信時、当該契約に対応する前記ＳＩＭ情報セットを前記情報管理部から選択し、
選択された前記ＳＩＭ情報セットを使用して無線通信を行う無線通信部をさらに備えたことを特徴とする請求項１〜４のいずれか一つに記載の端末装置。
【請求項６】
前記ＳＩＭ情報セットの情報を装置外部との間で入出力する情報通信部をさらに備えたことを特徴とする請求項１〜５のいずれか一つに記載の端末装置。
【請求項７】
前記制御部は、
前記無線通信部を介して、無線ネットワーク上の外部装置との間で前記ＳＩＭ情報セットの情報を入出力することを特徴とする請求項５または６に記載の端末装置。
【発明の詳細な説明】
【技術分野】
【０００１】
本発明は、装置内部にＳＩＭカードの情報を保持し、使用する端末装置に関する。
【背景技術】
【０００２】
３ＧＰＰ仕様の携帯通信端末では、契約したオペレータ（例えば、通信キャリア）から提供される通信用ＩＣカードであるＳＩＭ（Ｓｕｂｓｃｒｉｂｅｒ  Ｉｄｅｎｔｉｔｙ  Ｍｏｄｕｌｅ）カードを携帯通信端末のＳＩＭスロットに装着して使用する。ＳＩＭカードの他に、Ｕ（Ｕｎｉｖｅｒｓａｌ）ＳＩＭやＵＩＭ（Ｕｓｅｒ  Ｉｄｅｎｔｉｔｙ  Ｍｏｄｕｌｅ）カードがある。ＳＩＭカードには、通信用加入者情報として、ＩＭＳＩ（加入者情報）やｋｅｙｓ／ｋｅｙｓＰＳ（通信用暗号鍵）などのデータが含まれる。
【０００３】
複数オペレータと契約し複数のＳＩＭカードを所持する場合、ＳＩＭカードを選択することで、１台の携帯通信端末でオペレータ別の無線通信が行える。従来、ＳＩＭカードの情報を携帯通信端末が読み出して保持する技術がある。
【０００４】
例えば、ＳＩＭカードにプログラムをインストールして携帯通信端末に装着する構成とすることで、ユーザが携帯通信端末を変更した場合の再度のプログラムインストールを簡単化する技術がある。また、通信に必要な情報をＳＩＭカードから読み出し携帯通信端末内に保存し、電源投入時にＳＩＭカードが前回と同じ場合、携帯通信端末内に保存した情報を用いることで、携帯通信端末の電源投入時にＳＩＭカードを読み出さずに起動時間を短くする技術がある。また、１枚のＵＳＩＭカードに複数の加入者情報を保持することで、通信相手に応じて加入者情報を切り替えて使用する技術がある（例えば、下記特許文献１〜３参照。）。
【先行技術文献】
【特許文献】
【０００５】
【特許文献１】国際公開第２００２／０６１５７２号
【特許文献２】国際公開第９８／０１２８９４号
【特許文献３】特開２００２−２９１０４３号公報
【発明の概要】
【発明が解決しようとする課題】
【０００６】
携帯通信端末のユーザが複数のオペレータと契約をしていて、ＳＩＭカードにアクセスして使用する場合、オペレータを変更する毎にＳＩＭカードを差し替えする手間がかかる。また、複数のＳＩＭスロットを設けると装置が大型化した。
【０００７】
携帯通信端末内にＳＩＭカードの情報を保存する技術を用いた場合、他の携帯通信端末でも同一のＳＩＭカードの情報を有することを防ぐことができず、同じ契約情報をもったクローン端末が作成されるおそれがある。
【０００８】
一つの側面では、本発明は、複数のＳＩＭカードの情報をセキュリティを有し装置内に保持できることを目的とする。
【課題を解決するための手段】
【０００９】
一つの案では、ＳＩＭカードが保持する情報を複数のＳＩＭカード分、ＳＩＭ情報セットとして格納保持する情報管理部と、前記ＳＩＭカードが装着可能なＳＩＭスロットと、前記ＳＩＭ情報セットの固有情報と一致する固有情報を有する前記ＳＩＭカードが前記ＳＩＭスロットに装着されている場合、前記ＳＩＭ情報セットの使用を有効にする制御部と、を備えたことを要件とする。
【発明の効果】
【００１０】
一つの実施の形態によれば、複数のＳＩＭカードの情報をセキュリティを有し装置内に保持できる。
【図面の簡単な説明】
【００１１】
【図１】図１は、実施の形態１にかかる端末装置の機能を示す構成図である。
【図２】図２は、実施の形態１にかかる端末装置が取り扱うＩＭＳＩのフォーマット図である。
【図３】図３は、実施の形態１にかかる端末装置のＳＩＭ情報セット追加時の処理例を示すフローチャートである。
【図４】図４は、実施の形態１にかかる端末装置のＳＩＭ情報セット削除時の処理例を示すフローチャートである。
【図５】図５は、実施の形態１にかかる端末装置のＳＩＭ情報セット選択時の処理例を示すフローチャートである。
【図６Ａ】図６Ａは、実施の形態２にかかる端末装置のＳＩＭ情報セット追加時の処理例を示すシーケンス図である（その１）。
【図６Ｂ】図６Ｂは、実施の形態２にかかる端末装置のＳＩＭ情報セット追加時の処理例を示すシーケンス図である（その２）。
【図７Ａ】図７Ａは、実施の形態２にかかる端末装置のＳＩＭ情報セット削除時の処理例を示すシーケンス図である（その１）。
【図７Ｂ】図７Ｂは、実施の形態２にかかる端末装置のＳＩＭ情報セット削除時の処理例を示すシーケンス図である（その２）。
【発明を実施するための形態】
【００１２】
以下、図面を参照して、この発明にかかる端末装置の実施の形態を詳細に説明する。
【００１３】
（実施の形態１）
（携帯通信端末の全体構成）
図１は、実施の形態１にかかる端末装置の機能を示す構成図である。端末装置としてＵＳＩＭカードが挿抜可能な携帯電話機等の携帯通信端末１００を例に説明する。
【００１４】
携帯通信端末１００は、複数のＳＩＭカード１１１のＳＩＭ情報をＳＩＭ情報管理部１０１に格納する。携帯通信端末１００は、ＳＩＭ情報管理部１０１に格納した複数のＳＩＭ情報を選択することで、オペレータ（例えば、通信キャリア）別の無線通信が行え、この際、ＳＩＭスロット１０２に対するＳＩＭカード１１１の物理的な挿抜を不要にする。携帯通信端末１００は、ＳＩＭスロット１０２として最小数の１スロットを用意すればよい。
【００１５】
携帯通信端末１００は、ＳＩＭ情報を管理する構成として、ＳＩＭ情報管理部１０１と、ＳＩＭスロット１０２と、ＳＩＭ情報制御部１０３と、ＳＩＭ情報通信部１０５とを含む。
【００１６】
ＳＩＭスロット１０２には、ＳＩＭカード１１１が挿抜可能である。ＳＩＭスロット１０２に対しては、複数のＳＩＭカード１１１が挿抜可能であるが、常に契約の基となるＳＩＭカード１１１を装着した状態とし、ＳＩＭカード１１１へのアクセスが可能な状態で使用することとする。無線通信時には、ＳＩＭ情報管理部１０１に保持された複数のＳＩＭ情報をオペレータ毎に選択して用いる際、ＳＩＭ情報管理部１０１に保持されたＳＩＭ情報の選択の可否や、ＳＩＭ情報の追加、削除等の処理時に、契約の基となるＳＩＭカード１１１にアクセスする。
【００１７】
契約の基となるＳＩＭカード１１１は、例えば、１台の携帯通信端末１００を使用して所定のオペレータ（キャリア）による無線通信を初めて行う際に用いるＳＩＭカード１１１である。この後、携帯通信端末１００で他のオペレータによる無線通信を行う際に契約したＳＩＭカード１１１は、別契約のＳＩＭカード１１１であり、携帯通信端末１００は、別契約のＳＩＭカード１１１の情報をＳＩＭ情報管理部１０１に保持可能である。
【００１８】
ＳＩＭ情報管理部１０１には、ＳＩＭカード１１１が保持するＳＩＭ情報を読み出したＳＩＭ情報セット１２１と、ＳＩＭ情報セット１２１毎の契約加入者情報１２２とを関連付けて記憶保持する。図１に示すように、ＳＩＭ情報セット１２１は、複数１，２，…，ｎからなり、ｎ枚のＳＩＭカード１１１分のＳＩＭ情報を保持する。
【００１９】
ＳＩＭカード１１１は固有情報として加入者情報１１１ａａを保持する。加入者情報１１１ａａは、例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を用いることができる。ＳＩＭ情報管理部１０１が保持する契約加入者情報１２２は、契約の基となるＳＩＭカード１１１の固有情報（ＩＭＳＩ）である加入者情報１１１ａａと同じである。
【００２０】
ＳＩＭ情報制御部１０３は、ＳＩＭスロット１０２に装着されたＳＩＭカード１１１、およびＳＩＭ情報管理部１０１へのアクセスを制御する。例えば、ＳＩＭ情報制御部１０３は、ＳＩＭ情報セット１２１の追加処理や削除処理、無線通信時の所定のＳＩＭ情報セット１２１の選択処理等でＳＩＭカード１１１やＳＩＭ情報管理部１０１にアクセスする。
【００２１】
例えば、ＳＩＭ情報セット１２１は、ＳＩＭ情報通信部１０５を介して外部から取得することができる。また、ＳＩＭスロット１０２に装着されたＳＩＭカード１１１からＳＩＭ情報を読み出し、一つのＳＩＭ情報セット１２１としてＳＩＭ情報管理部１０１に格納することもできる。
【００２２】
また、ＳＩＭ情報制御部１０３は、携帯通信端末１００内でＳＩＭ情報を使用する各機能部からのアクセスを制御する。ＳＩＭ情報制御部１０３は、無線通信部１０６と、ＳＩＭ情報通信部１０５と、アプリケーション部１０７とに接続されている。例えば、ＳＩＭ情報制御部１０３は、無線通信部１０６、ＳＩＭ情報通信部１０５、アプリケーション部１０７のいずれかの要求で、ＳＩＭ情報管理部１０１に格納保持されるＳＩＭ情報セット１２１の情報を入出力する。このＳＩＭ情報制御部１０３は、ＳＩＭ情報セット１２１と、ＳＩＭカード１１１の正当性判断の処理も行う。
【００２３】
ＳＩＭ情報通信部１０５は、携帯通信端末１００外部との間でＳＩＭ情報管理部１０１に保持するＳＩＭ情報セット１２１の情報を交換する。ＳＩＭ情報通信部１０５は、例えば、携帯通信端末１００外部から新たな別契約分のＳＩＭ情報セットｘ（１２１ｘ）を受信し、ＳＩＭ情報制御部１０３を介してＳＩＭ情報管理部１０１に格納する。また、ＳＩＭ情報通信部１０５は、携帯通信端末１００が無線通信する際に用いる無線ネットワーク１２０を介して外部から新たに追加するＳＩＭ情報セットｘ（１２１ｘ）を受信することもできる。
【００２４】
ＳＩＭ情報通信部１０５は、携帯通信端末１００外部と新たな別契約分のＳＩＭ情報セットｘ（１２１ｘ）に関する情報交換を行うが、通信手段は任意であり、例えば、無線通信やＮＦＣなどの近接通信により情報がセキュアな通信であればよい。また、ＳＩＭ情報セットｘ（１２１ｘ）を格納したＵＳＢメモリ等の情報媒体を携帯通信端末１００に接続する構成としてもよい。
【００２５】
また、携帯通信端末１００は、ＳＩＭ情報を使用する各機能部として、無線通信部１０６と、アプリケーション部１０７と、表示部１０８と、キー入力部１０９と、アンテナ１１０と、を含む。
【００２６】
無線通信部１０６は、アンテナ１１０に接続され、携帯通信端末１００が通信可能な携帯電話網等の無線ネットワーク１２０に無線接続する。無線ネットワーク１２０は、基地局や他の携帯通信端末１００を含む。この無線通信部１０６は、ユーザの操作等により、所望するオペレータ（キャリア）に対応したＳＩＭ情報セット１２１を選択することで、オペレータ別の無線通信が行える。
【００２７】
アプリケーション部１０７は、携帯通信端末１００が保有する各種機能別のアプリケーションを実行処理し、キー入力部１０９によるユーザのキー操作等に基づきアプリケーションを動作させる。また、アプリケーションが無線通信を行う際には、無線通信部１０６を介して無線通信を行う。この際、上記のように、アプリケーション部１０７は、無線通信部１０６に対し、所望するオペレータ（キャリア）に対応したＳＩＭ情報セット１２１を選択することで、オペレータ別の無線通信を行う。
【００２８】
表示部１０８は、携帯通信端末１００の各種状態を表示する。例えば、無線通信部１０６の無線通信状態、アプリケーション部１０７によるアプリケーション表示、キー入力部１０９の入力キーの表示、ＳＩＭ情報管理部１０１のＳＩＭ情報セット１２１等の管理画面表示等、を行う。
【００２９】
（ＳＩＭ情報管理について）
ＳＩＭ情報管理部１０１は、複数（１〜ｎ）のＳＩＭ情報セット１２１を管理保持する。複数のＳＩＭ情報セット１２１は、異なる契約別のＳＩＭカード１１１が保持するＳＩＭ情報と同じ情報（および機能）である。
【００３０】
例えば、ＳＩＭカード１１１が保持するＳＩＭ情報は、加入者情報（ＩＭＳＩ）１１１ａａや通信用暗号鍵（例えば、ｋｅｙｓ／ｋｅｙｓＰＳ）１１１ａｂを含むデータ情報１１１ａと、演算機能部１１１ｂの情報である。通信用暗号鍵１１１ａｂは、携帯通信端末１００が無線通信処理の際に用いる暗号鍵である。演算機能部１１１ｂは、無線通信処理の際に用いる所定のプログラム等の処理情報である。
【００３１】
ＳＩＭ情報制御部１０３は、ＳＩＭ情報通信部１０５等を介してＳＩＭ情報セット１２１を追加する際には、ＳＩＭ情報管理部１０１に一つのＳＩＭ情報セット１２１として格納し、契約の基となるＳＩＭカード１１１内の加入者情報１１１ａａをＳＩＭ情報管理部１０１に契約加入者情報１２２として格納する。そして、格納したＳＩＭ情報セット１２１に契約加入者情報１２２を関連付ける。
【００３２】
例えば、一つ目をＳＩＭ情報セット１（１２１）としてＳＩＭ情報管理部１０１に格納する。この際、ＳＩＭ情報セット１（１２１）に関連付けする契約加入者情報１２２は、ＳＩＭカード１１１が保持する加入者情報１１１ａａである。このＳＩＭカード１１１は、契約の基となるＳＩＭカード１１１である。
【００３３】
この後、ＳＩＭ情報管理部１０１にＳＩＭ情報セット２〜ｎ（１２１）を追加する場合、ＳＩＭ情報制御部１０３は、追加したＳＩＭ情報セット２〜ｎ（１２１）の契約加入者情報１２２として、いずれも契約の基となるＳＩＭカード１１１の加入者情報１１１ａａを設定する。
【００３４】
これにより、ＳＩＭ情報セット１〜ｎ（１２１）の契約加入者情報１２２は、全て契約の基となるＳＩＭカード１１１の加入者情報１１１ａａとなる。後述するが、追加したＳＩＭ情報セット１〜ｎ（１２１）の選択時には、契約加入者情報１２２を、ＳＩＭスロット１０２に装着されたＳＩＭカード１１１の加入者情報１１１ａａと照合することで、ＳＩＭ情報セット１〜ｎ（１２１）の選択の有無を判断する。
【００３５】
また、ＳＩＭカード１１１は、演算機能（ＡＵＴＨＥＮＴＩＣＡＴＥ  Ｃｏｍｍａｎｄ）を実現する演算プログラム（演算機能部１１１ｂの情報）が保持されている。このため、ＳＩＭ情報制御部１０３は、ＳＩＭカード１１１が保持する演算プログラム（演算機能部１１１ｂの情報）を読み出し、ＳＩＭ情報管理部１０１に演算処理部の情報１２３として保持する構成としてもよい。この演算プログラム（演算処理部）の情報１２３は、携帯通信端末１００の不図示のプロセッサ（ＣＰＵ）が読み出し実行処理する。
【００３６】
このＣＰＵは、例えば、プログラム実行により各種機能を実現でき、演算プログラム（演算処理部）の情報１２３を用いた演算機能を、例えば、ＳＩＭ情報制御部１０３の機能として、あるいはＳＩＭ情報管理部１０１の機能として実現する。
【００３７】
これにより、無線通信時等に、ＳＩＭ情報制御部１０３は、ＳＩＭ情報管理部１０１内のＳＩＭ情報セット１２１を用いた演算要求を行う際、ＳＩＭ情報管理部１０１は演算プログラムを演算処理部の情報１２３から読み出し、ＣＰＵに送出する。ＣＰＵは、この演算処理部の情報１２３をプログラム実行することで所定の演算処理、例えば、ＣＫ（Ｃｉｐｈｅｒｉｎｇ  Ｋｅｙ）や、ＩＫ（Ｉｎｔｅｇｒｉｔｙ  Ｋｅｙ）等の秘匿、改ざん防止の処理を行うことができる。
【００３８】
また、ＳＩＭ情報制御部１０３は、ＳＩＭ情報管理部１０１に格納されているＳＩＭ情報セット１２１の削除時には、ＳＩＭ情報通信部１０５から削除対象のＳＩＭ情報セット１２１の情報を受領し、ＳＩＭ情報管理部１０１から該当するＳＩＭ情報セット１２１を削除する。この際、例えば、該当するＳＩＭ情報セットｘ（１２１ｘ）と、このＳＩＭ情報セットｘ（１２１ｘ）に関連付けられた契約加入者情報１２２をいずれも削除する。
【００３９】
なお、携帯通信端末１００のＳＩＭスロット１０２に携帯通信端末１００の契約の基となるＳＩＭカード１１１が装着されていれば、ＳＩＭ情報制御部１０３は、ＳＩＭスロット１０２、あるいはＳＩＭ情報セット１（１２１）の一方にアクセスして読み出しする。
【００４０】
また、ＳＩＭ情報制御部１０３は、オペレータ切り替えで一つのＳＩＭ情報セットｎ（１２１）の選択時には、この選択したＳＩＭ情報セットｎ（１２１）の有効性を判断する。具体的には、選択したＳＩＭ情報セットｎ（１２１）の契約加入者情報１２２と、ＳＩＭスロット１０２に装着されたＳＩＭカード１１１の加入者情報１１１ａａとの一致を判断する。そして、両者が一致している場合に、選択したＳＩＭ情報セットｎ（１２１）を有効にする。一方、両者が一致していなければ、選択したＳＩＭ情報セットｎ（１２１）を無効にする。この無効時、ＳＩＭ情報セットｎ（１２１）に対応する契約のオペレータでの通信処理は行えなくなる。
【００４１】
また、ＳＩＭ情報制御部１０３は、ＳＩＭ情報管理部１０１に格納されている複数のＳＩＭ情報セット１〜ｎ（１２１）のうち、いずれか一つのＳＩＭ情報セット１２１のみを選択によって有効にする。例えば、ユーザ操作等でオペレータ別の切り替えを行う場合、ＳＩＭ情報制御部１０３は、オペレータに対応する一つのＳＩＭ情報セット１２１を選択し、無線通信部１０６は、選択した一つのＳＩＭ情報セット１２１を用いた無線通信を行う。
【００４２】
図１に示す携帯通信端末１００内部でＳＩＭ情報セット１２１の制御にかかる機能部のハードウェア構成例を説明する。例えば、ＳＩＭ情報制御部１０３は、図示しないＲＯＭ等に記憶された制御プログラムをプロセッサ（ＣＰＵ）上で実行し、ＲＡＭを作業データの格納用に使用するハードウェア構成で機能実現できる。
【００４３】
同様に、無線通信部１０６やアプリケーション部１０７についても、無線通信処理の一部の機能やアプリケーション処理を行う各制御プログラムをＣＰＵ上で実行することで構成できる。携帯通信端末１００は、処理負荷や機能別に応じて複数のＣＰＵを有してもよい。無線通信部１０６には、さらに無線電波を送受信するための変復調部と、送受信アンプ等を備える。
【００４４】
ＳＩＭ情報通信部１０５は、携帯通信端末１００の通信Ｉ／Ｆを用いて構成できる。ＳＩＭ情報管理部１０１は、例えば、携帯通信端末１００のメモリ（例えば、不揮発性メモリ）を用いて構成できる。キー入力部１０９は、携帯通信端末１００に設けられユーザ操作可能なタッチパネルや操作キーを用いて構成でき、表示部１０８は、携帯通信端末１００に設けられる各種表示用のＬＣＤ等のディスプレイを用いて構成できる。
【００４５】
（ＩＭＳＩのフォーマット）
図２は、実施の形態１にかかる端末装置が取り扱うＩＭＳＩのフォーマット図である。ＩＭＳＩ２００は、ＭＣＣ２０１と、ＭＮＣ２０２と、ＭＳＩＮ２０３とからなる。ＭＣＣ（Ｍｏｂｉｌｅ  Ｃｏｕｎｔｒｙ  Ｃｏｄｅ）２０１は、３桁で国番号を示す。ＭＮＣ（Ｍｏｂｉｌｅ  Ｎｅｔｗｏｒｋ  Ｃｏｄｅ）２０２は、２桁または３桁でオペレータ（キャリア）の識別番号を示す。ＭＳＩＮ（Ｍｏｂｉｌｅ  Ｓｕｂｓｃｒｉｂｅｒ  Ｉｄｅｎｔｉｆｉｃａｔｉｏｎ  Ｎｕｍｂｅｒ）２０３は、ユーザの識別番号を示す。ＩＭＳＩ２００は、全体で１５桁までを用いて全世界のユーザに割り当てられる一意な識別番号であり、上述したＳＩＭカード１１１の契約加入者情報として用いることができる。
【００４６】
（ＳＩＭ情報セットの追加処理例）
図３は、実施の形態１にかかる端末装置のＳＩＭ情報セット追加時の処理例を示すフローチャートである。携帯通信端末１００の外部から別契約分のＳＩＭ情報セットｘ（１２１ｘ）を追加する処理例を説明する。ＳＩＭ情報管理部１０１には、ＳＩＭ情報セット１２１としてＳＩＭ情報セット１，２が格納されている状態であるとする。
【００４７】
はじめに、ＳＩＭ情報通信部１０５が携帯通信端末１００の外部（例えば外部機器）からＳＩＭ情報セットｘ（１２１ｘ）を受信することで追加処理を開始する。そして、ＳＩＭ情報制御部１０３は、ＳＩＭスロット１０２にＳＩＭカード１１１があるか（装着されているか）をチェックする（ステップＳ３０１）。
【００４８】
ＳＩＭカード１１１が装着されている場合には（ステップＳ３０１：Ｙｅｓ）、ＳＩＭ情報制御部１０３は、ＳＩＭスロット１０２内のＳＩＭ情報により、無線通信部１０６を通して無線ネットワーク１２０上の契約管理のサーバ等と通信し、現在の契約状態の確認を行う（ステップＳ３０２）。
【００４９】
契約が有効な場合は（ステップＳ３０２：Ｙｅｓ）、ＳＩＭ情報制御部１０３は、ＳＩＭスロット１０２に装着されているＳＩＭカード１１１内の加入者情報１１１ａａをＳＩＭ情報制御部１０３に通知する。ＳＩＭ情報通信部１０５は、追加する別契約分のＳＩＭ情報セットｘ（１２１ｘ）をＳＩＭ情報制御部１０３に通知する。
【００５０】
そして、ＳＩＭ情報制御部１０３は、ＳＩＭ情報管理部１０１の格納領域（メモリ領域）に空きがあるかをチェックし、空きがある場合はＳＩＭ情報管理部１０１に別契約分のＳＩＭ情報セットｘ（１２１ｘ）を新たに格納する（ステップＳ３０３）。また、追加した別契約分のＳＩＭ情報セットｘ（１２１ｘ）の契約加入者情報１２２として、ＳＩＭカード１１１内の加入者情報１１１ａａを関連付けて格納する（ステップＳ３０４）。
【００５１】
この後、ＳＩＭ情報通信部１０５は、携帯通信端末１００の外部（例えば外部機器）へＳＩＭ情報セットｘ（１２１ｘ）の追加処理が完了した旨を通知し、処理を終了する。
【００５２】
一方、ＳＩＭスロット１０２にＳＩＭカード１１１が装着されていない場合（ステップＳ３０１：Ｎｏ）、ステップＳ３０５に移行する。また、ＳＩＭスロット１０２に装着されているＳＩＭカード１１１の契約が無効な場合（ステップＳ３０２：Ｎｏ）、ステップＳ３０５に移行する。また、ステップＳ３０３のＳＩＭ情報セットｘ（１２１ｘ）の格納時に、ＳＩＭ情報管理部１０１に空きがない場合にも、ステップＳ３０５に移行する。
【００５３】
ステップＳ３０５では、ＳＩＭ情報制御部１０３は、エラーと判断し、ＳＩＭ情報通信部１０５を介して携帯通信端末１００の外部（例えば外部機器）へＳＩＭ情報セットｘ（１２１ｘ）を格納できなかった旨を通知する。この状態で、ＳＩＭ情報管理部１０１には、追加要求されたＳＩＭ情報セットｘ（１２１ｘ）は追加されていない状態となる。そして、ＳＩＭ情報制御部１０３は、アプリケーション部１０７を通じて表示部１０８にＳＩＭ情報セットｘ（１２１ｘ）が追加できなかった旨を表示する（ステップＳ３０５）。
【００５４】
（ＳＩＭ情報セットの削除処理例）
図４は、実施の形態１にかかる端末装置のＳＩＭ情報セット削除時の処理例を示すフローチャートである。ＳＩＭ情報管理部１０１には、ＳＩＭ情報セット１２１としてＳＩＭ情報セット１，２，３が格納されており、ＳＩＭ情報セット３を削除する場合の処理例を説明する。
【００５５】
はじめに、ＳＩＭ情報通信部１０５が携帯通信端末１００の外部（例えば外部機器）から削除対象のＳＩＭ情報セット３（１２１）の削除要求を受信することで削除処理を開始する。そして、ＳＩＭ情報制御部１０３は、ＳＩＭスロット１０２にＳＩＭカード１１１があるか（装着されているか）をチェックする（ステップＳ４０１）。
【００５６】
ＳＩＭカード１１１が装着されている場合には（ステップＳ４０１：Ｙｅｓ）、ＳＩＭ情報制御部１０３は、ＳＩＭスロット１０２内のＳＩＭ情報を用い、無線通信部１０６を通して無線ネットワーク１２０上の契約管理のサーバ等と通信し、現在の契約状態の確認を行う（ステップＳ４０２）。
【００５７】
契約が有効な場合には（ステップＳ４０２：Ｙｅｓ）、ＳＩＭ情報制御部１０３は、ＳＩＭスロット１０２に装着されているＳＩＭカード１１１内の加入者情報１１１ａａをＳＩＭ情報制御部１０３に通知する。ＳＩＭ情報通信部１０５は、削除対象のＳＩＭ情報セット３（１２１）をＳＩＭ情報制御部１０３に通知する。
【００５８】
そして、ＳＩＭ情報制御部１０３は、ＳＩＭ情報管理部１０１に削除対象のＳＩＭ情報セット３（１２１）が格納されているか判断する（ステップＳ４０３）。ＳＩＭ情報セット３（１２１）が格納されていれば（ステップＳ４０３：Ｙｅｓ）、ＳＩＭ情報制御部１０３は、ＳＩＭカード１１１の加入者情報１１１ａａとＳＩＭ情報セット３（１２１）の契約加入者情報１２２との一致を判断する（ステップＳ４０４）。
【００５９】
ＳＩＭカード１１１の加入者情報１１１ａａと、ＳＩＭ情報セット３（１２１）に関連付けられた契約加入者情報１２２とが一致していれば（ステップＳ４０４：Ｙｅｓ）、該当するＳＩＭ情報セット３（１２１）を削除する（ステップＳ４０５）。この後、ＳＩＭ情報通信部１０５は、携帯通信端末１００の外部（例えば外部機器）へＳＩＭ情報セット３（１２１）の削除が完了した旨を通知し、処理を終了する。
【００６０】
一方、ＳＩＭスロット１０２にＳＩＭカード１１１が装着されていない場合（ステップＳ４０１：Ｎｏ）、ステップＳ４０６に移行する。また、ＳＩＭスロット１０２に装着されているＳＩＭカード１１１の契約が無効な場合（ステップＳ４０２：Ｎｏ）、ステップＳ４０６に移行する。また、ＳＩＭ情報管理部１０１に削除対象のＳＩＭ情報セット３（１２１）が格納されていない場合（ステップＳ４０３：Ｎｏ）、ステップＳ４０６に移行する。また、ＳＩＭスロット１０２に装着されているＳＩＭカード１１１の加入者情報１１１ａａとＳＩＭ情報セット３（１２１）の契約加入者情報１２２（ＩＭＳＩ）が一致していない場合（ステップＳ４０４：Ｎｏ）もステップＳ４０６に移行する。
【００６１】
ステップＳ４０６では、ＳＩＭ情報制御部１０３は、エラーと判断し、ＳＩＭ情報通信部１０５を介して携帯通信端末１００の外部（例えば外部機器）へＳＩＭ情報セット３（１２１）が削除できなかった旨を通知する。この状態で、ＳＩＭ情報管理部１０１には、削除要求されたＳＩＭ情報セット３（１２１）が削除されずに残る状態となる。そして、ＳＩＭ情報制御部１０３は、アプリケーション部１０７を通じて表示部１０８にＳＩＭ情報セット３（１２１）が削除できなかった旨を表示する（ステップＳ４０６）。
【００６２】
（ＳＩＭ情報セットの選択処理例）
図５は、実施の形態１にかかる端末装置のＳＩＭ情報セット選択時の処理例を示すフローチャートである。通信処理でＳＩＭ情報セット１２１を選択する際に、ＳＩＭ情報制御部１０３が行う処理内容を説明する。
【００６３】
図１に示したＳＩＭ情報管理部１０１には、２つのＳＩＭ情報セット１２１（ＳＩＭ情報セット１，２）が格納されている状態とする。ＳＩＭ情報制御部１０３は、表示部１０８の表示メニューとして「ＳＩＭ情報設定」を表示させ、キー入力部１０９の操作がアプリケーション部１０７で認識される状態でユーザ操作を検出すると、以下の処理を開始する。
【００６４】
はじめに、ＳＩＭ情報制御部１０３は、ＳＩＭスロット１０２にＳＩＭカード１１１があるか（装着されているか）をチェックする（ステップＳ５０１）。ＳＩＭカード１１１がある場合には（ステップＳ５０１：Ｙｅｓ）、ＳＩＭ情報制御部１０３は、ＳＩＭスロット１０２内のＳＩＭカード１１１の情報を用い、無線通信部１０６を通して無線ネットワーク１２０上の契約管理のサーバ等と通信する。そして、ＳＩＭカード１１１の現在の契約状態が有効であるか確認する（ステップＳ５０２）。
【００６５】
契約が有効な場合は（ステップＳ５０２：Ｙｅｓ）、ＳＩＭ情報制御部１０３は、ＳＩＭ情報管理部１０１に格納されているＳＩＭ情報をアプリケーション部１０７に通知する。アプリケーション部１０７は、表示部１０８にＳＩＭ情報（ＳＩＭ情報セット１，２の情報）を表示する（ステップＳ５０３）。
【００６６】
次に、ユーザ操作により使用するＳＩＭ情報が選択される（ステップＳ５０４）。例えば、ＳＩＭ情報セット２を使用する選択がされたとする。ＳＩＭ情報制御部１０３は、ＳＩＭ情報管理部１０１が管理するＳＩＭ情報セット２の契約加入者情報（ＩＭＳＩ）と、ＳＩＭスロット１０２に装着されているＳＩＭカード１１１内の加入者情報（ＩＭＳＩ）が一致しているかを確認する（ステップＳ５０５）。
【００６７】
一致している場合は（ステップＳ５０５：Ｙｅｓ）、ＳＩＭ情報管理部１０１は、選択したＳＩＭ情報（ＳＩＭ情報セット２）を保持し（ステップＳ５０６）、処理を終了する。このように、ＳＩＭスロット１０２に契約の基となったＳＩＭカード１１１が装着されていれば、ＳＩＭ情報セット２は、この契約の基となったＳＩＭカード１１１に関連付いて追加された情報であるため一致状態が得られ、正当なＳＩＭ情報と判断される。これにより、以降の無線通信の処理時には、ユーザが選択したＳＩＭ情報セット２を用いることができる。
【００６８】
一方、ＳＩＭスロット１０２にＳＩＭカード１１１が装着されていない場合（ステップＳ５０１：Ｎｏ）、ステップＳ５０７に移行する。また、ＳＩＭスロット１０２に装着されているＳＩＭカード１１１の契約が無効な場合（ステップＳ５０２：Ｎｏ）、ステップＳ５０７に移行する。さらに、ＳＩＭ情報管理部１０１内の選択されたＳＩＭ情報セット１２１に関連付けた契約加入者情報１２２と、ＳＩＭカード１１１内の加入者情報１１１ａａが一致しない場合（ステップＳ５０５：Ｎｏ）、ステップＳ５０７に移行する。
【００６９】
ステップＳ５０７では、ＳＩＭ情報制御部１０３は、ＳＩＭ情報管理部１０１に格納されているＳＩＭ情報セット１，２の情報がエラーと通知する。そして、ＳＩＭ情報制御部１０３は、アプリケーション部１０７を通じて表示部１０８にＳＩＭ情報セット２（１２１）が選択不可な旨を表示する（ステップＳ５０７）。
【００７０】
このように、ＳＩＭスロット１０２にＳＩＭカード１１１が装着されていなければ、契約の基となるＳＩＭカード１１１自体がないため、選択したＳＩＭ情報セット２（１２１）を用いた無線通信を無効にする。また、ＳＩＭスロット１０２にＳＩＭカード１１１が装着されていても、このＳＩＭカード１１１の契約が無効な場合も選択したＳＩＭ情報セット２（１２１）を用いた無線通信を無効にする。
【００７１】
さらには、ＳＩＭ情報管理部１０１内の選択されたＳＩＭ情報セット１２１に関連付けた契約加入者情報１２２と、ＳＩＭカード１１１内の加入者情報１１１ａａが一致しない場合も、選択したＳＩＭ情報セット２（１２１）を用いた無線通信を無効にする。例えば、ＳＩＭスロット１０２には、ＳＩＭ情報セット２（１２１）追加時に用いた正当なＳＩＭカード１１１以外のＳＩＭカードが装着されていることが考えられる。すなわち、追加したＳＩＭ情報セット２（１２１）の正当性を判断できなくなる。このため、選択したＳＩＭ情報セット２（１２１）を用いた無線通信を無効にする。
【００７２】
また、上記処理では、ステップＳ５０７では、選択したＳＩＭ情報セット２（１２１）を用いた無線通信を無効にすることとしたが、ＳＩＭ情報管理部１０１に格納されている全てのＳＩＭ情報セット１〜ｎ（１２１）の選択および使用を無効にしてもよい。
【００７３】
上述した実施の形態１によれば、ＳＩＭカード１１１から契約加入者情報１２２を読み出し、携帯通信端末１００のＳＩＭ情報管理部１０１に保持し、ＳＩＭ情報管理部１０１のＳＩＭ情報を用いて通信運用する。このように、ＳＩＭカード１１１へのアクセスを行わず、携帯通信端末１００内に保持したＳＩＭ情報セット１２１を用いたソフトＳＩＭの機能での運用を行う。そして、実施の形態では、追加したＳＩＭ情報セット１〜ｎ（１２１）は、契約の基となる正当なＳＩＭカード１１１がＳＩＭスロット１０２に装着されているときのみ選択および使用できるようにしている。
【００７４】
これにより、ＳＩＭカード１１１に保持した契約加入者情報１２２を読み出しＳＩＭ情報セット１２１を携帯通信端末１００が保持し運用する構成としたとき、他の携帯通信端末１００と同一のＳＩＭ情報セットになることを防ぐことができる。また、同一契約のＳＩＭ情報が異なる複数の携帯通信端末に書き込まれ運用されることを防ぐことができる。これにより、同一の契約情報をもつクローン端末の作成を不可にできる。
【００７５】
（実施の形態２）
実施の形態２では、携帯通信端末１００が無線通信に用いる無線ネットワーク１２０を用いてＳＩＭ情報セット１２１の追加および削除を行う処理例について説明する。実施の形態２においても携帯通信端末１００は、実施の形態１（図１）と同様の構成を有する。実施の形態２では、契約の基となるＳＩＭカード１１１のオペレータ（キャリア）がオペレータ１であり、オペレータ２が別契約分であるとする。携帯通信端末１００は、ユーザ操作等により、無線ネットワーク１２０を介してオペレータ１，２との通信処理を行い、オペレータ２のＳＩＭ情報を追加、削除する。
【００７６】
（ＳＩＭ情報セットの追加処理例）
図６Ａ、図６Ｂは、実施の形態２にかかる端末装置のＳＩＭ情報セット追加時の処理例を示すシーケンス図である。図１のＳＩＭスロット１０２には、契約の基となるオペレータ１のＳＩＭカード１１１が装着されている状態であるとする。以下の追加処理で新たに別契約のオペレータ２のＳＩＭ情報セット２（１２１）を追加処理する。
【００７７】
はじめに、図６Ａに示すように、携帯通信端末１００のＳＩＭ情報制御部１０３は、ＳＩＭスロット１０２内の契約の基となるＳＩＭカード１１１から情報（オペレータ１）を読み込む（ステップＳ６０１）。そして、無線通信部１０６は、無線ネットワーク１２０上のオペレータ１（１２０ａ）に携帯通信端末１００の位置登録を行う。
【００７８】
オペレータ１（１２０ａ）では、ＳＩＭカード１１１のオペレータ１の情報を加入者レジスタ１（６１１）と照合することで現在の契約状態を確認し（ステップＳ６０２）、契約中の場合は確認応答を行い（ステップＳ６０３）、携帯通信端末１００との間のセキュア通信を確立する。
【００７９】
この際、無線ネットワーク１２０ａから認証手順（ＡＫＡ：Ａｕｔｈｅｎｔｉｃａｔｉｏｎ  ａｎｄ  Ｋｅｙ  Ａｇｒｅｅｍｅｎｔ等）により認証要求された場合には（ステップＳ６０４）、無線通信部１０６は、ＳＩＭ情報制御部１０３に通知する。ＳＩＭ情報制御部１０３は、ＳＩＭスロット１０２内のＳＩＭカード１１１に演算要求を行い（ステップＳ６０５）、ＳＩＭカード１１１は演算実施した演算結果（ＣＫ１，ＩＫ１）を保存する（ステップＳ６０６）。
【００８０】
演算結果（ＣＫ１，ＩＫ１）は、無線通信部１０６に通知され（ステップＳ６０７）、無線通信部１０６は、オペレータ１（１２０ａ）に認証応答する（ステップＳ６０８）。無線通信部１０６は、演算結果（ＣＫ１，ＩＫ１）を以降の無線ネットワーク１２０ａの通信で秘匿（ＣＫ）、改ざん防止（ＩＫ）の処理を行う際に使用する。
【００８１】
次に、ＳＩＭ情報制御部１０３は、無線通信部１０６を介してオペレータ２（１２０ｂ）のＷｅｂサイト６００上の契約サイト６０１にアクセスし（ステップＳ６０９）、追加する別契約分の契約手続きを行う。携帯通信端末１００は、無線通信部１０６を介してオペレータ２の契約サイト６０１との間で契約情報の登録処理を行い（ステップＳ６１０）、オペレータ２の加入者レジスタ２（６１２）に契約情報を登録する（ステップＳ６１１）。そして、契約完了すると、携帯通信端末１００の無線通信部１０６に、オペレータ２の契約サイト６０１から追加するＳＩＭ情報セット２（１２１）が通知される（ステップＳ６１２）。
【００８２】
携帯通信端末１００は、無線通信部１０６がＳＩＭ情報セット２（１２１）を受信し、ＳＩＭ情報制御部１０３に通知する（ステップＳ６１３）。
【００８３】
この後、ＳＩＭ情報制御部１０３は、追加するＳＩＭ情報セット２（１２１）に、ＳＩＭスロット１０２に装着されているＳＩＭカード１１１内のオペレータ１の加入者情報１１１ａａを関連付けてＳＩＭ情報管理部１０１に格納する（ステップＳ６１４）。
【００８４】
携帯通信端末１００のＳＩＭ情報制御部１０３は、ＳＩＭ情報管理部１０１からの格納完了の通知により（ステップＳ６１５）、オペレータ２（１２０ｂ）の契約サイト６０１にＳＩＭ情報セット２（１２１）の格納（追加）が完了した旨を通知する（ステップＳ６１６）。
【００８５】
その後、図６Ｂを用いて、携帯通信端末１００が無線通信に用いるＳＩＭ情報セットを変更し、オペレータ２（１２０ｂ）を選択した場合の処理を説明する。ＳＩＭ情報制御部１０３は、ＳＩＭ情報管理部１０１のオペレータ２に対応するＳＩＭ情報セット２（１２１）の契約加入者情報１２２と、ＳＩＭスロット１０２に装着されているＳＩＭカード１１１の加入者情報１１１ａａを読み込み（ステップＳ６１７）、両者の一致を判断する。
【００８６】
ＳＩＭ情報セット２（１２１）の契約加入者情報１２２と、ＳＩＭカード１１１の加入者情報１１１ａａが一致する場合の処理（ステップＳ６１８）を説明する。この場合、ＳＩＭ情報制御部１０３は、無線通信部１０６によりＳＩＭ情報セット２（１２１）を使用し、無線ネットワーク１２０上のオペレータ２（１２０ｂ）に位置登録し、オペレータ２の契約有無を確認し（ステップＳ６１９）、契約の有無の確認応答を受ける（ステップＳ６２０）。
【００８７】
この際、無線ネットワーク１２０ｂから認証手順（ＡＫＡ等）を用いた認証要求が行われた場合には、ＳＩＭ情報制御部１０３は、ＳＩＭ情報管理部１０１のＳＩＭ情報セット２（１２１）に演算要求を行う（ステップＳ６２１）。そして、ＳＩＭ情報セット２（１２１）は演算実施した演算結果（ＣＫ２，ＩＫ２）をＳＩＭ情報管理部１０１に保存する（ステップＳ６２２）。
【００８８】
演算結果（ＣＫ２，ＩＫ２）は、ＳＩＭ情報制御部１０３を経由し無線通信部１０６に通知され（ステップＳ６２３）、オペレータ２（１２０ｂ）に認証応答する（ステップＳ６２４）。無線通信部１０６は、演算結果（ＣＫ２，ＩＫ２）を以降の無線ネットワーク１２０ｂとの通信で秘匿（ＣＫ）、改ざん防止（ＩＫ）処理を行う際に使用する。
【００８９】
例えば、携帯通信端末１００の無線通信部１０６は、以降の通信時に、演算結果（ＣＫ２，ＩＫ２）をＩＫ，ＣＫの通信用暗号鍵として用い、オペレータ２（１２０ｂ）を経由した無線通信を行う（ステップＳ６２５）。これにより、無線通信部１０６は一般サイト６０２との間の通信をセキュアに行うことができる。
【００９０】
ＳＩＭ情報セット２（１２１）の契約加入者情報１２２と、ＳＩＭカード１１１の加入者情報１１１ａａが一致しない場合、無線通信部１０６によるオペレータ２のＳＩＭ情報セット２（１２１）を用いた無線通信は使用不可となる（ステップＳ６２６）。
【００９１】
例えば、ＳＩＭスロット１０２にオペレータ１（１２０ａ）以外の契約のＳＩＭカード１１１が装着された状態で、ＳＩＭ情報をオペレータ２（１２０ｂ）を選択した場合がある。この場合には、ＳＩＭ情報管理部１０１のオペレータ２（１２０ｂ）のＳＩＭ情報セット２（１２１）の契約加入者情報１２２と、ＳＩＭカード１１１内の加入者情報１１１ａａとが一致しないため、選択したＳＩＭ情報セット２（１２１）は使用不可となる。
【００９２】
なお、オペレータ２（１２０ｂ）の契約サイト６０１から通知されるＳＩＭ情報セット２（１２１）が漏洩し、他の携帯通信端末１００に書き込まれ不正に使用されることが想定される。これに対応するため、契約情報の登録時に（ステップＳ６１０）、契約手続きで登録する情報にＳＩＭスロット１０２に装着されているＳＩＭカード１１１の固有番号（例えば、ＩＣＣＩＤ：Ｉｎｔｅｇｒａｔｅｄ  Ｃｉｒｃｕｉｔ  Ｃａｒｄ  ＩＤ）を含めてもよい。これにより、オペレータ２（１２０ｂ）の契約サイト６０１は、ＩＣＣＩＤを使用してＳＩＭ情報セット２（１２１）を暗号化し、携帯通信端末１００に通知することで、情報を暗号化できる。
【００９３】
携帯通信端末１００では、受信した暗号化されたＳＩＭ情報セット２（１２１）をＳＩＭスロット１０２に装着されているＳＩＭカード１１１の固有番号（ＩＣＣＩＤ）を使用して復号化する。そして、復号化したＳＩＭ情報セット２（１２１）をＳＩＭ情報管理部１０１に格納する。
【００９４】
これにより、他の携帯通信端末１００に暗号化されたＳＩＭ情報セット２（１２１）が不正に書き込まれたとしても、固有番号（ＩＣＣＩＤ）を有する該当ＳＩＭカード１１１は他の携帯通信端末１００に装着されていない。したがって、他の携帯通信端末１００では、暗号化されたＳＩＭ情報セット２（１２１）を復号化できず、不正な使用を防止できる。
【００９５】
（ＳＩＭ情報セットの削除処理例）
図７Ａ、図７Ｂは、実施の形態２にかかる端末装置のＳＩＭ情報セット削除時の処理例を示すシーケンス図である。図１のＳＩＭスロット１０２には、契約の基となるオペレータ１のＳＩＭカード１１１が装着されている状態であるとする。また、ＳＩＭ情報管理部１０１には、ＳＩＭ情報セット１２１としてオペレータ２のＳＩＭ情報２（１２１）が格納されている状態とし、以下の削除処理でオペレータ２のＳＩＭ情報セット２（１２１）を契約解除により削除処理する。
【００９６】
携帯通信端末１００のＳＩＭ情報制御部１０３は、ＳＩＭスロット１０２内の契約の基となるＳＩＭカード１１１から情報（オペレータ１）を読み込む（ステップＳ７０１）。そして、無線通信部１０６は、無線ネットワーク１２０上のオペレータ１（１２０ａ）に携帯通信端末１００の位置登録を行う。
【００９７】
オペレータ１（１２０ａ）では、ＳＩＭカード１１１のオペレータ１の情報を加入者レジスタ１（６１１）と照合することで現在の契約状態を確認し（ステップＳ７０２）、契約中の場合は確認応答を行い（ステップＳ７０３）、携帯通信端末１００との間のセキュア通信を確立する。
【００９８】
この際、無線ネットワーク１２０ａから認証手順（ＡＫＡ等）により認証要求された場合には（ステップＳ７０４）、無線通信部１０６は、ＳＩＭ情報制御部１０３に通知する。ＳＩＭ情報制御部１０３は、ＳＩＭスロット１０２内のＳＩＭカード１１１に演算要求を行い（ステップＳ７０５）、ＳＩＭカード１１１は演算実施した演算結果（ＣＫ１，ＩＫ１）を保存する（ステップＳ７０６）。
【００９９】
演算結果（ＣＫ１，ＩＫ１）は、無線通信部１０６に通知され（ステップＳ７０７）、無線通信部１０６は、オペレータ１（１２０ａ）に認証応答する（ステップＳ７０８）。無線通信部１０６は、演算結果（ＣＫ１，ＩＫ１）を以降の無線ネットワーク１２０ａの通信で秘匿（ＣＫ）、改ざん防止（ＩＫ）の処理を行う際に使用する。
【０１００】
次に、ＳＩＭ情報制御部１０３は、無線通信部１０６を介してオペレータ２（１２０ｂ）のＷｅｂサイト６００上の契約サイト６０１にアクセスし（ステップＳ７０９）、解約手続きを行う。携帯通信端末１００は、無線通信部１０６を介してオペレータ２の契約サイト６０１との間で契約情報の削除処理を行い（ステップＳ７１０）、オペレータ２の加入者レジスタ２（６１２）から契約情報を削除する（ステップＳ７１１）。そして、契約解除が完了すると、携帯通信端末１００の無線通信部１０６に、オペレータ２の契約サイト６０１から解約したＳＩＭ情報セット２（１２１）が通知される（ステップＳ７１２）。
【０１０１】
携帯通信端末１００は、無線通信部１０６がＳＩＭ情報セット２（１２１）の削除の通知を受信し、ＳＩＭ情報制御部１０３に通知する（ステップＳ７１３）。
【０１０２】
ＳＩＭ情報制御部１０３は、ＳＩＭ情報管理部１０１のオペレータ２に対応するＳＩＭ情報セット２（１２１）の契約加入者情報１２２と、ＳＩＭスロット１０２に装着されているＳＩＭカード１１１の加入者情報１１１ａａを読み込み、両者の一致を判断する。
【０１０３】
ＳＩＭ情報セット２（１２１）の契約加入者情報１２２と、ＳＩＭカード１１１の加入者情報１１１ａａが一致する場合には、ＳＩＭ情報制御部１０３は、ＳＩＭ情報管理部１０１からＳＩＭ情報セット２（１２１）を削除する（ステップＳ７１４）。携帯通信端末１００の無線通信部１０６は削除完了の応答（ステップＳ７１５）をもとに、オペレータ２（１２０ｂ）の契約サイト６０１に削除が完了した旨を通知する（ステップＳ７１６）。
【０１０４】
一方、ＳＩＭスロット１０２にオペレータ１（１２０ａ）以外の契約のＳＩＭカード１１１が装着された状態で、オペレータ１（１２０ａ）以外の通信を使用してオペレータ２（１２０ｂ）の契約サイト６０１にアクセスし、解約手続きを行った場合を説明する。この場合、ＳＩＭ情報管理部１０１のＳＩＭ情報セット２（１２１）の契約加入者情報１２２とＳＩＭカード１１１内の加入者情報１１１ａａが一致しない。
【０１０５】
このため、ＳＩＭ情報制御部１０３は、ＳＩＭ情報管理部１０１からＳＩＭ情報セット２（１２１）を削除しない（ステップＳ７１７）。携帯通信端末１００の無線通信部１０６は削除不可の応答（ステップＳ７１８）をもとに、オペレータ２（１２０ｂ）の契約サイト６０１に削除が不可である旨を通知する（ステップＳ７１９）。
【０１０６】
実施の形態２によれば、ＳＩＭ情報セット１２１を無線ネットワーク１２０を介して追加および削除できるようになる。実施の形態２では、ＳＩＭ情報通信部１０５を設ける必要がなく、通常の無線通信（音声通話やデータ送受信）に用いる無線ネットワーク１２０を介してＳＩＭ情報セット１２１を追加および削除できる。
【０１０７】
また、携帯通信端末１００が契約サイト６０１と直接通信を行って、ＳＩＭ情報セット１２１の追加および削除を行うことができるため、新たな契約や契約解除の手続きと同時に携帯通信端末１００が用いるＳＩＭ情報セット１２１の追加および削除できる。
【０１０８】
また、別契約のＳＩＭ情報を追加登録する際に、ＳＩＭカード１１１の固有番号（ＩＣＣＩＤ等）を用いて暗号化されたＳＩＭ情報セット１２１を受信および復号化する。これにより、他の携帯通信端末にＳＩＭ情報セット１２１が漏洩しても、登録および不正使用を防ぐことができ、同じＳＩＭ情報セット１２１をもつクローン端末の作成を不可にできる。
【０１０９】
以上説明した各実施の形態によれば、携帯通信端末内に複数のＳＩＭの情報をＳＩＭ情報セットとして保持しておくことで、ＳＩＭカードにアクセスせずにオペレータに対応するＳＩＭ情報セットを選択するソフトＳＩＭ機能でオペレータ別の無線通信が行える。
【０１１０】
また、オペレータ別の無線通信を行う際、ＳＩＭカードの差し替えを不要にでき、ＳＩＭカードの接触面の摩耗や汚れの発生も抑えることができる。また、携帯通信端末内のＳＩＭスロットに装着したＳＩＭカードの情報のチェック処理で異常となる頻度を減らせるようになる。さらに、追加した複数契約分のＳＩＭカードを複数のＳＩＭスロットにそれぞれ装着しておく必要がなく、ＳＩＭスロットを最低限の個数（１個）にでき、携帯通信端末を小型化できるようになる。
【０１１１】
また、携帯通信端末のＳＩＭスロットに契約の基となるＳＩＭカードが装着されている状態で、別契約のＳＩＭ情報セットを追加、削除することができる。ＳＩＭ情報セットの追加、削除時には、契約の基となるＳＩＭカードの加入者情報と、追加あるいは削除するＳＩＭ情報セットの契約加入者情報とが一致している場合に限り、ＳＩＭ情報セットを有効にする。これにより、携帯通信端末でオペレータ別の無線通信を行うためのＳＩＭ情報セットは、契約の基となるＳＩＭカードを装着した１台の携帯通信端末だけが保持でき、ＳＩＭ情報セットのセキュリティを向上できる。
【０１１２】
これにより、ソフトＳＩＭの機能による利便性を得つつ、同一契約のＳＩＭ情報が複数の他の通信携帯端末で有することを防ぐことができ、同じ契約情報をもったクローン端末の作成を不可にできる。
【０１１３】
上記実施の形態では、端末装置として携帯通信端末１００を例に説明したが、ＳＩＭカード１１１が挿抜可能な電子機器であれば同様に適用できる。これら電子機器は、ソフトＳＩＭ機能により複数のＳＩＭ情報セットを選択してオペレータ別の無線通信を行う際に用いるＳＩＭ情報セットのセキュリティを向上できる。
【０１１４】
上述した実施の形態に関し、さらに以下の付記を開示する。
【０１１５】
（付記１）ＳＩＭカードが保持する情報を複数のＳＩＭカード分、ＳＩＭ情報セットとして格納保持する情報管理部と、
前記ＳＩＭカードが装着可能なＳＩＭスロットと、
前記ＳＩＭ情報セットの固有情報と一致する固有情報を有する前記ＳＩＭカードが前記ＳＩＭスロットに装着されている場合、前記ＳＩＭ情報セットの使用を有効にする制御部と、
を備えたことを特徴とする端末装置。
【０１１６】
（付記２）前記制御部は、
前記ＳＩＭ情報セットの追加時、前記ＳＩＭスロットに装着されている前記ＳＩＭカードの前記固有情報を、追加する前記ＳＩＭ情報セットの固有情報として前記情報管理部に格納することを特徴とする付記１に記載の端末装置。
【０１１７】
（付記３）前記制御部は、
前記ＳＩＭ情報セットの削除時、前記ＳＩＭカードの前記固有情報が削除する前記ＳＩＭ情報セットの固有情報と一致する場合に、前記情報管理部から削除することを特徴とする付記１または２に記載の端末装置。
【０１１８】
（付記４）前記制御部は、
前記ＳＩＭ情報セットの前記使用または前記追加または前記削除時、さらに前記ＳＩＭカードの契約が有効な場合に処理を行うことを特徴とする付記３に記載の端末装置。
【０１１９】
（付記５）前記制御部は、
所望する契約の無線通信時、当該契約に対応する前記ＳＩＭ情報セットを前記情報管理部から選択し、
選択された前記ＳＩＭ情報セットを使用して無線通信を行う無線通信部をさらに備えたことを特徴とする付記１〜４のいずれか一つに記載の端末装置。
【０１２０】
（付記６）前記ＳＩＭ情報セットの情報を装置外部との間で入出力する情報通信部をさらに備えたことを特徴とする付記１〜５のいずれか一つに記載の端末装置。
【０１２１】
（付記７）前記制御部は、
前記無線通信部を介して、無線ネットワーク上の外部装置との間で前記ＳＩＭ情報セットの情報を入出力することを特徴とする付記５または６に記載の端末装置。
【０１２２】
（付記８）前記制御部は、
前記ＳＩＭ情報セットの追加時、前記ＳＩＭカードの前記固有情報として当該ＳＩＭカードの契約者情報を読み出し、当該ＳＩＭ情報セットの固有情報として前記契約者情報を関連付けて前記情報管理部に格納し、
前記ＳＩＭ情報セットの前記使用または前記追加または前記削除時、前記ＳＩＭ情報セットの前記契約者情報と、前記ＳＩＭカードの前記契約者情報が一致する場合に限り、前記ＳＩＭ情報セットの使用を有効にすることを特徴とする付記３〜７のいずれか一つに記載の端末装置。
【０１２３】
（付記９）前記制御部は、
複数のうち所望する前記ＳＩＭ情報セットの固有情報と一致する固有情報を有する前記ＳＩＭカードが前記ＳＩＭスロットに装着されていない場合、前記ＳＩＭ情報セットの使用を無効にすることを特徴とする付記１〜８のいずれか一つに記載の端末装置。
【０１２４】
（付記１０）前記制御部は、
前記ＳＩＭ情報セットの追加時、前記ＳＩＭカードが前記ＳＩＭスロットに装着されていない場合、あるいは、前記ＳＩＭスロットに装着された前記ＳＩＭカードの契約が有効でない場合、前記ＳＩＭ情報セットを追加しないことを特徴とする付記１〜９のいずれか一つに記載の端末装置。
【０１２５】
（付記１１）前記制御部は、
前記ＳＩＭ情報セットの削除時、前記ＳＩＭカードが前記ＳＩＭスロットに装着されていない場合、あるいは、前記ＳＩＭスロットに装着された前記ＳＩＭカードの契約が有効でない場合、あるいは、前記ＳＩＭカードの前記固有情報が削除する前記ＳＩＭ情報セットの固有情報と一致しない場合、前記ＳＩＭ情報セットを削除しないことを特徴とする付記１〜１０のいずれか一つに記載の端末装置。
【符号の説明】
【０１２６】
１００  携帯通信端末
１０１  ＳＩＭ情報管理部
１０２  ＳＩＭスロット
１０３  ＳＩＭ情報制御部
１０５  ＳＩＭ情報通信部
１０６  無線通信部
１０７  アプリケーション部
１０８  表示部
１０９  キー入力部
１１０  アンテナ
１１１  ＳＩＭカード
１１１ａ  データ情報
１１１ａａ  加入者情報
１１１ｂ  演算機能部
１２０  無線ネットワーク
１２１  ＳＩＭ情報セット
１２２  契約加入者情報
【図１】
2016111409.tif 000003
【図２】
2016111409.tif 000004
【図３】
2016111409.tif 000005
【図４】
2016111409.tif 000006
【図５】
2016111409.tif 000007
【図６Ａ】
2016111409.tif 000008
【図６Ｂ】
2016111409.tif 000009
【図７Ａ】
2016111409.tif 000010
【図７Ｂ】
2016111409.tif 000011